(57)【要約】【課題】電飾機能を備えた可動装飾体において、可動装飾体の形状、サイズを劇的に拡大縮小させつつ、可動装飾体に搭載した光源から発光させることにより、光源からの発光を最大限に拡散、増強させることを可能とする。【解決手段】ベース部材１９により回転自在に支持された装飾体ユニット２１と、装飾体ユニットを駆動するための駆動機構６０と、を備え、装飾体ユニットは、軸部５５を中心として回転するユニット基部２３と、軸部を中心として径方向へ伸縮する伸縮部材３０と、該伸縮部材により径方向へ進退させられるユニット可動部５０と、を備え、駆動機構は、装飾体ユニットを回転させるための回転用駆動ユニット６１と、伸縮部材を伸縮させるための伸縮用駆動ユニット７０と、を備えている。【選択図】図５
2011125447.tif 000002
【特許請求の範囲】
【請求項１】
ベース部材により回転自在に支持された装飾体ユニットと、前記装飾体ユニットを駆動するための駆動機構と、を備えた可動装飾体であって、
前記装飾体ユニットは、軸部を中心として回転するユニット基部と、該軸部を中心として径方向へ伸縮する伸縮部材と、該伸縮部材により径方向へ進退させられるユニット可動部と、を備え、
前記駆動機構は、前記伸縮部材を伸縮させるための伸縮用駆動ユニットを備えていることを特徴とする可動装飾体。
【請求項２】
前記駆動機構は、更に前記装飾体ユニットを回転させるための回転用駆動ユニットを備えていることを特徴とする請求項１に記載の可動装飾体。
【請求項３】
前記伸縮用駆動ユニットは、前記伸縮部材と、前記軸部と同軸状に配置され且つ該軸部と相対的に正逆回動する回動盤と、該回動盤の盤面に形成された該回動盤の軸心とは非同心状の曲線状のカムスリットと、該カムスリット内に遊嵌し該回動盤の正逆回動時に該カムスリット内に沿って内外径方向へ進退するカムフォロワと、該カムフォロワに一部を支持されると共に前記伸縮部材と係合した作動部材と、を備え、
前記作動部材は、前記回動盤の正逆回動時に前記カムフォロワが外径方向へ移動する際に前記伸縮部材を収縮させ、前記カムフォロワが内径方向へ移動する際に前記伸縮部材を伸張させることを特徴とする請求項１又は２に記載の可動装飾体。
【請求項４】
前記回転用駆動ユニットと前記伸縮用駆動ユニットは、前記装飾体ユニットの背面側に配置した一つのケーシング内に近接して収納されていることを特徴とする請求項２又は３に記載の可動装飾体。
【請求項５】
前記回転用駆動ユニットは、前記ユニット基部の背面側に配置された第１のモータと、該第１のモータの出力ギヤに順次噛合した状態で回転自在に軸支された伝達ギヤと、前記軸部を軸心部に固定し伝達ギヤによって回転駆動される駆動側中心ギヤと、を備えており、前記駆動側中心ギヤが前記軸部を回転駆動することによって前記ユニット可動部がその中心部を中心として回転駆動され、
前記伸縮用駆動ユニットは、前記回転用駆動ユニットに隣接配置され且つ前記伸縮部材を伸縮駆動するための伸縮部材駆動機構を備え、
前記伸縮部材駆動機構は、第２のモータと、該第２のモータの出力ギヤと順次噛合する中間ギヤ及び終端ギヤと、該終端ギヤと同軸状に一体化された小ギヤと、該小ギヤと噛合して駆動力の伝達を受ける中心ギヤ部材と、を備え、前記中心ギヤ部材の中心穴と前記回動盤の中心穴には前記軸部が相対回転可能に遊嵌していることを特徴とする請求項２乃至４の何れか一項に記載の可動装飾体。
【請求項６】
前記伸縮部材は、パンタグラフから成ることを特徴とする請求項１乃至５の何れか一項に記載の可動装飾体。
【請求項７】
少なくとも前記ユニット基部と、前記ユニット可動部と、ＬＥＤを搭載したことを特徴とする請求項１乃至６の何れか一項に記載の可動装飾体。
【請求項８】
請求項１乃至７の何れか一項に記載の可動装飾体と、遊技盤と、を備えたことを特徴とする遊技盤ユニット。
【請求項９】
請求項８に記載の遊技盤ユニットを備えたことを特徴とするパチンコ遊技機。
【発明の詳細な説明】
【技術分野】
【０００１】
本発明は、遊技盤面に配置した可動装飾体を拡大、縮小させつつ、発光させることにより、変化に富んだ電飾効果を発揮させるようにした可動装飾体、遊技盤ユニット、及びパチンコ遊技機に関する。
【背景技術】
【０００２】
パチンコ機、アレンジボール等の遊技機においては、従来から、単なる照明効果のみならず、遊技盤上における遊技状態の変化等の状況変化を視覚的に表現、報知したり、遊技進行上での電飾効果を図る等の目的から、盤面内、盤面部品、その他任意の部位にＬＥＤランプやフィラメント式ランプ等の光源を配置している。
また、人物、動物、アニメのキャラクター等を象った立体的な人形等の内部や背面に配置したＬＥＤからの光を人形等に設けた透光部から外部に照射することによって遊技進行上特徴的な演出効果を発揮させるようにした電飾装置も知られている。
特許文献１には、可変翼片を有する入賞装置において、可変翼片に光透過面とＬＥＤとを設け、ＬＥＤからの光を遊技の進行状況に応じて光透過面から出射させるようにしたパチンコ遊技機の入賞装置が開示されている。
【０００３】
しかし、ＬＥＤからの光を可動装飾体（可動役物）に設けた透光部を介して前方に出射させるように構成した場合、可動装飾体の透光部の面積が極限されているのが一般であり、透光部からの発光光量を増大させて演出効果を高めようとしても限界があったため、可動装飾体とＬＥＤとの協働によって演出される遊技内容に多様性、意外性をもたせるのに限界があった。
また、本出願人に係る特許文献２には、光源を搭載した可動装飾体において、光源からの出射光を外径方向へ出射させる傾斜出射面と、傾斜出射面からの光を反射して前方へ出射させる傾斜鏡面と、を備えることによって、光源からの発光量、発光範囲を増強、拡大させるようにした構成が開示されている。
しかし、この可動装飾体にあっては、可動装飾体自体の面積が一定であるため、発光量、発光範囲を増強、拡大させるには限界があった。
【先行技術文献】
【特許文献】
【０００４】
【特許文献１】特開２００５−２７０２７４公報
【特許文献２】特願２００８−０３８８７０公報
【発明の概要】
【発明が解決しようとする課題】
【０００５】
以上のように光源を搭載した可動装飾体にあっては、光源からの発光との協働によって演出される遊技内容に対して更なる多様性、意外性が求められているにも関わらず、可動装飾体側の面積が極限されていたために、このような要請を満たすことができなかった。
本発明は上記に鑑みてなされたものであり、遊技盤面上における遊技状態の変化等の状況変化を表現、報知したり、遊技内容の進行に応じて光源からの光を有効に利用する電飾機能を備えた可動装飾体において、可動装飾体の形状、サイズを劇的に拡大縮小させつつ、可動装飾体に搭載した光源から発光させることにより、光源からの発光を最大限に拡散、増強させることを可能とした可動装飾体、遊技盤ユニット、及びパチンコ遊技機を提供することを目的としている。
【課題を解決するための手段】
【０００６】
上記目的を達成するため、請求項１の発明に係る可動装飾体は、ベース部材により回転自在に支持された装飾体ユニットと、前記装飾体ユニットを駆動するための駆動機構と、を備えた可動装飾体であって、前記装飾体ユニットは、軸部を中心として回転するユニット基部と、該軸部を中心として径方向へ伸縮する伸縮部材と、該伸縮部材により径方向へ進退させられるユニット可動部と、を備え、前記駆動機構は、前記伸縮部材を伸縮させるための伸縮用駆動ユニットを備えていることを特徴とする。
伸縮部材の収縮時には装飾体ユニットは小型化しているが、伸張時にはユニット可動部が外径方向へ拡大し、全体として面積を拡大変形することができる。
請求項２の発明は、前記駆動機構は、更に前記装飾体ユニットを回転させるための回転用駆動ユニットを備えていることを特徴とする。
回転用駆動ユニットによって装飾体ユニットを回転させる一方で、伸縮用駆動ユニットによってユニット可動部を収縮、拡大させることにより、変化に富んだ演出を実現することが可能となる。
【０００７】
請求項３の発明は、前記伸縮用駆動ユニットは、前記伸縮部材と、前記軸部と同軸状に配置され且つ該軸部と相対的に正逆回動する回動盤と、該回動盤の盤面に形成された該回動盤の軸心とは非同心状の曲線状のカムスリットと、該カムスリット内に遊嵌し該回動盤の正逆回動時に該カムスリット内に沿って内外径方向へ進退するカムフォロワと、該カムフォロワに一部を支持されると共に前記伸縮部材と係合した作動部材と、を備え、前記作動部材は、前記回動盤の正逆回動時に前記カムフォロワが外径方向へ移動する際に前記伸縮部材を収縮させ、前記カムフォロワが内径方向へ移動する際に前記伸縮部材を伸張させることを特徴とする。
遊技盤面上の限られたスペースを占める装飾体ユニット内に、ユニット可動部と、複数の伸縮部材と、この伸縮部材を伸縮させるための第２の駆動機構、更には装飾体ユニットを回転駆動する第１の駆動機構を収納することが可能となる。
請求項４の発明は、前記回転用駆動ユニットと前記伸縮用駆動ユニットは、前記装飾体ユニットの背面側に配置した一つのケーシング内に近接して収納されていることを特徴とする。
請求項５の発明は、前記回転用駆動ユニットは、前記ユニット基部の背面側に配置された第１のモータと、該第１のモータの出力ギヤに順次噛合した状態で回転自在に軸支された伝達ギヤと、前記軸部を軸心部に固定し伝達ギヤによって回転駆動される駆動側中心ギヤと、を備えており、前記駆動側中心ギヤが前記軸部を回転駆動することによって前記ユニット可動部がその中心部を中心として回転駆動され、前記伸縮用駆動ユニットは、前記回転用駆動ユニットに隣接配置され且つ前記伸縮部材を伸縮駆動するための伸縮部材駆動機構を備え、前記伸縮部材駆動機構は、第２のモータと、該第２のモータの出力ギヤと順次噛合する中間ギヤ及び終端ギヤと、該終端ギヤと同軸状に一体化された小ギヤと、該小ギヤと噛合して駆動力の伝達を受ける中心ギヤ部材と、を備え、前記中心ギヤ部材の中心穴と前記回動盤の中心穴には前記軸部が相対回転可能に遊嵌していることを特徴とする。
２つの駆動ユニットを、ユニット基部の背面の限られた面積スペース内にコンパクトに収納することが可能となる。
【０００８】
請求項６の発明は、前記伸縮部材は、パンタグラフから成ることを特徴とする。
請求項７の発明は、少なくとも前記ユニット基部と、前記ユニット可動部と、ＬＥＤを搭載したことを特徴とする。
可動装飾体に光源を搭載することにより、回転しながら拡大縮小する際に、全体を発光させる演出が可能となる。
請求項８の発明に係る遊技盤ユニットは、請求項１乃至７の何れか一項に記載の可動装飾体と、遊技盤と、を備えたことを特徴とする。
請求項９の発明に係るパチンコ遊技機は、請求項８に記載の遊技盤ユニットを備えたことを特徴とする。
【発明の効果】
【０００９】
本発明は、可動装飾体を回転させるだけでなく、その形状、サイズを劇的に拡大縮小させることにより、可動盤面部品を大型化することなく、演出効果を高めることが可能となる。
【図面の簡単な説明】
【００１０】
【図１】本発明の実施の形態に係るパチンコ遊技機の全体正面図である。
【図２】本発明の一実施形態に係る可動装飾体の収縮時の外観斜視図である。
【図３】可動装飾体の拡大時の外観斜視図である。
【図４】駆動機構の構成を示す背面斜視図である。
【図５】可動装飾体の分解斜視図である。
【図６】収縮時における伸縮部材及び回動盤の状態説明図である。
【図７】伸張途中における伸縮部材及び回動盤の状態説明図である。
【図８】伸張完了時における伸縮部材及び回動盤の状態説明図である。
【図９】（ａ）及び（ｂ）は伸縮部材の収縮時における回動盤及び作動片の状態説明図である。
【図１０】（ａ）及び（ｂ）は伸縮部材の伸張途中における回動盤及び作動片の状態説明図である。
【図１１】（ａ）及び（ｂ）は伸縮部材の伸張完了時における回動盤及び作動片の状態説明図である。
【図１２】（ａ）及び（ｂ）は可動装飾体の一部の分解斜視図である。
【図１３】駆動機構の分解斜視図である。
【図１４】（ａ）及び（ｂ）は駆動機構の構成説明図である。
【図１５】（ａ）及び（ｂ）は給電機構の説明図である。
【図１６】ＬＥＤの配置を示す説明図である。
【発明を実施するための形態】
【００１１】
以下、本発明を図面に示した実施の形態により詳細に説明する。
図１は本発明の実施の形態に係るパチンコ遊技機の全体正面図である。
パチンコ遊技機１は、矩形形状の枠２を有し、この枠２の窓孔に対して表側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。またガラス枠の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
【００１２】
図柄表示装置９の下方には、図柄表示装置９の特別図柄を可変表示させるための可変入賞装置１１が設けられている。
また、図柄表示装置９の左側には、遊技盤３の右下部に配置された普通図柄表示装置１０に表示される普通図柄を作動させるためのゲート１２が設けられている。
更に、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
【００１３】
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
【００１４】
図２は本発明の一実施形態に係る可動装飾体の収縮時の外観斜視図であり、図３はこの可動装飾体の拡大時の外観斜視図であり、図４は駆動機構の構成を示す背面斜視図であり、図５は可動装飾体の分解斜視図であり、図６は収縮時における伸縮部材及び回動盤の状態説明図であり、図７は伸張途中における伸縮部材及び回動盤の状態説明図であり、図８は伸張完了時における伸縮部材及び回動盤の状態説明図であり、図９（ａ）及び（ｂ）は伸縮部材の収縮時における回動盤及び作動片の状態説明図であり、図１０（ａ）及び（ｂ）は伸縮部材の伸張途中における回動盤及び作動片の状態説明図であり、図１１（ａ）及び（ｂ）は伸縮部材の伸張完了時における回動盤及び作動片の状態説明図であり、図１２（ａ）及び（ｂ）は可動装飾体の一部の分解斜視図であり、図１３は駆動機構の分解斜視図であり、図１４（ａ）及び（ｂ）は駆動機構の構成説明図であり、図１５（ａ）及び（ｂ）は給電機構の説明図であり、図１６はＬＥＤの配置を示す説明図である。
【００１５】
図１に示すように、図柄表示装置９の上方、及び右側方には多数の雪結晶を象った可動装飾体が配置されているが、右側方に位置する可動装飾体２０は、上端部を軸支されることによって左右方向へ揺動するアーム部材（ベース部材）１９と、アーム部材１９の下部に配置された星形の装飾体ユニット（ギミック）２１と、装飾体ユニット２１を駆動する駆動機構６０と、装飾体ユニットに搭載されたＬＥＤ２７と、から構成されている。
可動装飾体２０は、遊技盤面、或いは遊技盤に形成した開口内に配置されて所定の軌跡に沿って動作する。アーム部材１９の上端部に設けた図示しない揺動軸部は遊技盤、或いはその他の支持部材によって軸支されており、アーム部材１９は全体として図１中に実線で示した収納位置（停止位置）と、同図中に破線で示した突出位置との間を揺動することができる。
図２乃至図５に示すように、装飾体ユニット２１は、後述する軸部５５と一体的に回転する星形（★形）のユニット基部２３と、軸部５５を中心として放射状に配置され且つユニット基部２３の５本の突出部に沿って夫々径方向へ伸縮するように構成された伸縮部材３０と、各伸縮部材により夫々径方向へ進退させられて変形するユニット可動部５０と、を備えている。
ユニット基部２３は、５本の突出部を有した星形の部材２４に同じく星形のＬＥＤ基板２５を組み付けた構成を備えている。ＬＥＤ基板２５にはユニット可動部５０に搭載されたＬＥＤに給電するためのハーネス２５ａが接続されている。
【００１６】
ユニット可動部５０は、図３等に示すように、中心部に位置する星形の固定片５１と、固定片５１の５本の突出部に沿って夫々径方向へ独立して出没自在に構成された２個ずつの可動片５２と、固定片５１の中心部に固定されて後方へ突出した軸部材（軸部）５５と、を備えている。ユニット可動部５０の固定片５１がユニット基部２３に固定されるため、軸部材５５の回転時にユニット基部２３は固定片５１と一体的に回転する。可動片５２は、固定片５１及びユニット基部２３の回転時には回転しながら、後述する第２の駆動ユニット７０からの駆動力によって径方向へ伸縮動作する。
ＬＥＤ基板２５、ユニット基部２３、ユニット可動部５０には、ＬＥＤが搭載されており、アーム部材１９を経由して配線されるケーブルからの給電を受けて発光、消灯する。ユニット基部２３、ユニット可動部５０の任意の部位を透明、或いは半透明材料により構成することによりＬＥＤからの光が前方へ出射されるように構成する。図１６はＬＥＤ基板２５に搭載されたＬＥＤ２７の配置例を示しているが、ＬＥＤは固定片５１、可動片５２にも搭載する。
【００１７】
駆動機構６０は、図４等に示すように装飾体ユニット２１を回転させるための第１の駆動ユニット（回転用駆動ユニット）６１と、各伸縮部材３０を一括して伸縮させるための第２の駆動ユニット（伸縮用駆動ユニット）７０と、を備えている。
なお、本実施形態では、第１の駆動ユニット６１と第２の駆動ユニット７０とを併設した構成例を示したが、第２の駆動ユニット７０のみを設けることにより、装飾体ユニット２１が回転しない構成としてもよい。
第１の駆動ユニット（回転用駆動ユニット）６１は、図４、図１４（ａ）に示すように、ユニット基部２３の背面側に配置された有底円筒状のケーシング６２の内部に配置された第１のモータ６３と、第１のモータ６３の出力ギヤ６３ａに順次噛合した状態でケーシング６２によって回転自在に軸支された伝達ギヤ６４と、軸部材５５を軸心部に固定し伝達ギヤ６４によって回転駆動される駆動側中心ギヤ６５と、を備えており、駆動側中心ギヤ６５が軸部材５５を回転駆動することによってユニット基部２３及びユニット可動部５０がその中心部を中心として回転駆動される。つまり、軸部材５５を回転することにより、装飾体ユニット２１が全体として回転する。
次に、第２の駆動ユニット（伸縮用駆動ユニット）７０は、図４、図１４（ｂ）にも示すように、伸縮部材３０を伸縮駆動するための伸縮部材駆動機構７１と、ユニット可動部５０の５本の突出部に夫々配置されたパンタグラフから成る伸縮部材３０と、軸部５５を中心穴４０ｂに遊嵌した状態で軸部５５と相対的に正逆回動する回動盤４０と、回動盤４０の盤面に形成されて回動盤の軸心とは非同心状（非同心円弧状）に設けられた複数の曲線状のカムスリット４１と、各カムスリット４１内に遊嵌し回動盤４０の正逆回動時に各カムスリット４１内に沿って内外径方向へ進退するピン状のカムフォロワ４５と、各カムフォロワ４５に一部を支持されると共に二股の端部にて伸縮部材３０と係合した略Ｕ字（Ｙ字）状の作動部材４７と、を備えている。
【００１８】
図９乃至図１１に示すように、回動盤４０には、各作動部材４７の各カムフォロワ４５を嵌合して径方向へ安定してガイドするためのガイドスリット４８ａを有したガイド部材４８が組み付けられている。ガイド部材４８は、回動盤４０の中心部と同軸状に回転するように支持された中心部４８Ａと、中心部４８Ａから放射状に且つ周方向に等間隔で突設された５本のガイドアーム４８Ｂと、を備えている。各ガイドアーム４８Ｂには、径方向に放射状に延びるガイドスリット４８ａが設けられている。各ガイドアーム４８Ｂは各ガイドスリット４８ａ内に各作動部材４７のカムフォロワ４５を遊嵌しているため、回動盤４０の正逆回動時には作動部材と一体的に周方向へ回動することができる。従って、作動部材４７はカムスリット４１に沿って周方向へ移動する際に安定して内外径方向へ移動することができる。
【００１９】
伸縮部材駆動機構７１は、ケーシング６２により支持された第２のモータ７２と、第２のモータの出力ギヤ７２ａと順次噛合する中間ギヤ７３及び終端ギヤ７４と、終端ギヤ７４と同軸状に一体化された小ギヤ７４ａ（図１３）と、小ギヤ７４ａと噛合して駆動力の伝達を受ける中心ギヤ部材２６と、を備えている。図１５（ａ）に示すように、ケーシング６２の前面の中心部には中心ギヤ部材２６が嵌合可能な円形の凹所６２ａが設けられると共に、凹所６２ａの内底面に切欠き形成された扇状の開口６２ｂから小ギヤ７４ａの一部が露出している。このため、中心ギヤ部材２６と小ギヤ７４ａは直接噛合することができ、第２のモータ７２からの駆動力が中心ギヤ部材２６へと伝達される。
図１２、図１３に示すように、中心ギヤ部材２６は、前方に突出したスリーブ２６ａを介して回動盤４０のスリーブ４０ａと一体化されている。即ち、各スリーブ２６ａ、４０ａは、ユニット基部２３の中心穴２３ａ内に相対回転可能に遊嵌することにより、中心ギヤ部材２６の回転駆動力が回動盤４０に伝達されるように構成されている。本例では、回動盤のスリーブ４０ａの端縁に設けたスリット内に、中心ギヤ部材２６のスリーブ２６ａの内周に設けた突条が嵌合することにより、両者が固定される。
【００２０】
一方、中心ギヤ部材２６の中心穴２６ｂと回動盤４０の中心穴４０ｂには軸部材５５が遊嵌しており、軸部材５５に対して中心ギヤ部材２６と回転盤４０は相対回転可能である。
パンタグラフとしての伸縮部材３０は、多数のリンク片３０ａをピン３０ｂにより伸縮自在に連結した構成を備え、本例では内径側端部に位置するリンク片を作動部材４７の二股の端部に設けたピン４７ａによって軸支することにより、回動盤４０の回転時に作動部材４７がカムスリット４１に沿って内外径方向へ移動する際に、伸縮部材を伸張、収縮動作させる。更に、中心部に位置するピン３０ｂのうちの最も内径側のピン３０ｂ’は固定片５１により位置固定されると共に、他の幾つかの中心部のピン３０ｂ”は固定片５１、及び可動片５２に設けたガイド部材（溝）５１Ａ（図７）によって所定の径方向への移動軌跡が確保されるように構成されている。
【００２１】
ユニット基部２３の５個の突出部に夫々２個ずつ配置された各可動片５２は、各伸縮部材３０に組み付けられており、各伸縮部材が内外径方向へ伸縮する際に各可動片５２はそれに追随して内外径方向へ移動（伸縮動作）する。各可動片５２に相互の脱落を防止する係合部を設けても良い。符号３５は伸縮部材３０に他の部材が干渉することを阻止するために配置されたカバーである。
なお、伸縮部材３０は、必ずしもパンタグラフ方式である必要はない。例えば、固定片５１の中心部に一つのプーリを配置し、各突出部の先端部に夫々他のプーリを配置する。更に、中心部のプーリと他のプーリ間に夫々ワイヤ（ベルト）をエンドレスに張設し、ワイヤに可動片を取り付ける。そして、中心部のプーリを駆動してワイヤを進退させることにより、各可動片を径方向へ進退させるようにしてもよい。
【００２２】
回動盤４０は、軸部５５の正逆回動時に軸部と一体的に回動し、各カムスリット４１は軸部５５を中心として非同心円状に内外径方向へ延びる円弧状の長穴である。このため、回動盤４０が回動するとカムフォロア４５が内外径方向へ移動し、作動部材４７が内外径方向へ出没することとなる。
つまり、作動部材４７は、回動盤４０の正逆回動時にカムフォロワ４５が外径方向へ移動する際に伸縮部材３０を収縮させ、カムフォロワが内径方向へ移動する際に伸縮部材を伸張させるため、伸縮部材に組み付けられた各可動片５２も内外径方向へ伸縮動作することとなる。
従って、第１の駆動ユニット６１が軸部材５５を介して装飾体ユニット２１を回転する一方で、第２の駆動ユニット７０は、回動盤４０を回転させることによって伸縮部材３０を伸縮させ、その結果としてユニット可動部５０を内外径方向へ伸縮させる。このため、装飾体は、回転しながらその面積を縮小、拡大させることができる。
図１５に示すようにケーシング６２の前面（ＬＥＤ基板２５との対向面）には図示しない電源と導通した銅板６２Ａが添設されており、銅板６２Ａと対向するＬＥＤ基板２５の背面には弾性を有した導線から成る摺動接点２５ｂが突設されている。ケーシング６２に対してＬＥＤ基板２５が相対回転する際に摺動接点２５ｂが銅板６２Ａと摺動しながら電力の供給を受けることができる。
【００２３】
以上の構成において、第１の駆動ユニット６１を構成する第１のモータ６３を駆動すると、駆動側中心ギヤ６５が回転することにより、これと一体の軸部材５５が回転する。軸部材５５が回転すると、装飾体ユニット２１が回転する。
装飾体ユニット２１の回転駆動と同時に、或いは装飾体ユニット２１の停止時に、伸縮部材駆動機構７１を構成する第２のモータ７２を駆動すると、終端ギヤ７４が回動することにより、中心ギヤ２６及び回動盤４０が一体的に回動する。
図６、図９に示すように各カムフォロア４５が各スリット４１の外径側端部に位置している時には、作動部材４７が径方向外側に突出しているため、内側のピン３０ｂ’を中心として動作する全てのリンク片３０ａが完全に収縮した状態となっている。
次に、図７、図１０に示すように各カムフォロア４５が各スリット４１の中間位置にある時には、作動部材４７が径方向外側に所定距離移動するため、内側のピン３０ｂ’を中心として全てのリンク片３０ａが動作し、図示した中間伸張状態となる。
更に、図８、図１１に示すように各カムフォロア４５が各スリット４１の内径側端部に移動した時には、作動部材４７が最内径側に移動するため、内側のピン３０ｂ’を中心として全てのリンク片３０ａが動作し、図示した伸張状態となる。
【００２４】
以上のように本発明の可動装飾体によれば、遊技盤面上における遊技状態の変化等の状況変化を表現、報知したり、遊技内容の進行に応じて光源からの光を有効に利用する電飾装置において、可動装飾体の形状、サイズを劇的に拡大縮小させつつ、可動装飾体に搭載した光源から発光させることにより、可動盤面部品からの発光を最大限に拡散、増強させて演出効果を高めることができる。しかも、可動装飾体を回転させながらその面積を拡大縮小させ、更に可動装飾体の先端部まで発光させることが可能となる。
本発明に係る可動装飾体を遊技盤に組み込むことにより構築される遊技盤ユニットは、パチンコ遊技機、その他の遊技機に適用することができる。
【符号の説明】
【００２５】
１…パチンコ遊技機、２…枠、３…遊技盤、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、１９…アーム部材（ベース部材）、２０…可動装飾体、２１…装飾体ユニット、２３…ユニット基部、２３ａ…中心穴、２４…部材、２５…ＬＥＤ基板、２５ａ…ハーネス、２５ｂ…摺動接点、２６…中心ギヤ、２６…中心ギヤ部材、２６ａ…スリーブ、２６ｂ…中心穴、２７…ＬＥＤ、３０…伸縮部材、３０ａ…リンク片、３０ｂ…ピン、３０ｂ”…ピン、４０…回動盤、４０ａ…スリーブ、４０ｂ…中心穴、４１…カムスリット、４５…カムフォロア、４７…作動部材、４７ａ…ピン、４８…ガイド部材、４８Ａ…中心部、４８Ｂ…ガイドアーム、４８ａ…ガイドスリット、５０…ユニット可動部、５１…可動片、５１…固定片、５１Ａ…ガイド部材、５２…可動片、５５…軸部（軸部材）、６０…駆動機構、６１…回転用駆動ユニット、６２…ケーシング、６２ａ…凹所、６２ｂ…開口、６２Ａ…銅板、６３…モータ、６３ａ…出力ギヤ、６４…伝達ギヤ、６５…駆動側中心ギヤ、７０…伸縮用駆動ユニット、７１…伸縮部材駆動機構、７２…モータ、７２ａ…出力ギヤ、７３…中間ギヤ、７４…終端ギヤ、７４ａ…小ギヤ
【図１】
2011125447.tif 000003
【図２】
2011125447.tif 000004
【図３】
2011125447.tif 000005
【図４】
2011125447.tif 000006
【図５】
2011125447.tif 000007
【図６】
2011125447.tif 000008
【図７】
2011125447.tif 000009
【図８】
2011125447.tif 000010
【図９】
2011125447.tif 000011
【図１０】
2011125447.tif 000012
【図１１】
2011125447.tif 000013
【図１２】
2011125447.tif 000014
【図１３】
2011125447.tif 000015
【図１４】
2011125447.tif 000016
【図１５】
2011125447.tif 000017
【図１６】
2011125447.tif 000018